(57)【要約】【課題】  運転手１人で良好に融雪剤を散布することのできる安価な融雪剤散布機を提供する。【解決手段】  トラック６の荷台６ａに、別体の発電機７とともに載置可能な融雪剤散布機１であって、この融雪剤散布機１は、融雪剤が投入されるホッパー２と、このホッパー２の下方に横設された融雪剤送り出し用のスクリュー３と、このスクリュー３の下流端側に地面Ｅに向けて垂設された分散部５を備えて構成され、この分散部５には、モータ１５により回転されて融雪剤を分散させる羽根１７が設けられている。【選択図】  図１
2006177003.tif 000002
【特許請求の範囲】
【請求項１】
トラックの荷台に、別体の発電機とともに載置可能な融雪剤散布機であって、該融雪剤散布機は、融雪剤が投入されるホッパーと、該ホッパーの下方に横設された融雪剤送り出し用のスクリューと、該スクリューの下流端側に地面に向けて垂設された分散部を備えて構成され、前記分散部には、モータにより回転されて融雪剤を分散させる羽根が設けられていることを特徴とする融雪剤散布機。
【請求項２】
前記スクリューを回転させるモータ及び前記分散部のモータは、操作盤を介しそれぞれ回転数が可変できるように構成されていることを特徴とする請求項１に記載の融雪剤散布機。
【請求項３】
前記分散部には、融雪剤の落下量を調整できるシャッターが設けられていることを特徴とする請求項１又は請求項２に記載の融雪剤散布機。
【発明の詳細な説明】
【技術分野】
【０００１】
本発明は、冬季に道路，橋等に撒かれる融雪剤の散布機に関するものである。
【背景技術】
【０００２】
幹線道路以外の市道等は、県等からの委託で土建業者が下請けして、冬季における融雪剤の散布を行っており、従来では、２５ｋｇの融雪剤（塩化カルシウム）入りの袋を橋の入口等に積み上げておき、作業員２人がかりで、袋を破り、中の融雪剤を道路や橋の上等にバラ撒いていた。
なお、特許文献１に開示されているような特殊雪上作業車に一体化された融雪剤散布機が存在する。
【特許文献１】特開平８−３１８８８０号公報
【発明の開示】
【発明が解決しようとする課題】
【０００３】
従来では、作業員が２人で現場に出掛けて、袋を破って融雪剤をバラ撒いており、また作業員の勘により融雪剤の撒く量を加減しており、融雪剤の散布作業に労力を要し、また散布量の調整がし難いという問題点があった。
なお、特許文献１に開示されているような作業車を使用すればコストが大となり、高価な作業車を所有し、維持してゆくことは困難なものであった。
【課題を解決するための手段】
【０００４】
本発明は上記従来の問題点に鑑み案出したものであって、一般的なトラックに載せて、運転手１人で、しかも散布量を調整しながら良好に融雪剤を散布できる安価な融雪剤散布機を提供するものであり、その請求項１は、トラックの荷台に、別体の発電機とともに載置可能な融雪剤散布機であって、該融雪剤散布機は、融雪剤が投入されるホッパーと、該ホッパーの下方に横設された融雪剤送り出し用のスクリューと、該スクリューの下流端側に地面に向けて垂設された分散部を備えて構成され、前記分散部には、モータにより回転されて融雪剤を分散させる羽根が設けられていることである。
【０００５】
また請求項２は、前記スクリューを回転させるモータ及び前記分散部のモータは、操作盤を介しそれぞれ回転数が可変できるように構成されていることである。
【０００６】
また請求項３は、前記分散部には、融雪剤の落下量を調整できるシャッターが設けられていることである。
【発明の効果】
【０００７】
本発明は、トラックの荷台に、別体の発電機とともに載置可能な融雪剤散布機であって、融雪剤が投入されるホッパーと、ホッパーの下方に横設された融雪剤送り出し用のスクリューと、スクリューの下流端側に地面に向けて垂設された分散部を備えて構成され、分散部には、モータにより回転されて融雪剤を分散させる羽根が設けられていることにより、一般的なトラックの荷台に載せて運ぶことができ、しかも発電機とは別体であるため安価なものとなり、ホッパー内に融雪剤を入れてスクリューを回転させ、羽根を回転させて融雪剤を良好に道路等に分散させて、融雪剤をトラックの運転手１人で良好に散布することができるものとなり、融雪剤の散布作業のコストを低減させることができるものとなる。
【０００８】
また、スクリューを回転させるモータ及び分散部のモータは、操作盤を介しそれぞれ回転数が可変できるように構成されていることにより、操作盤を操作してスクリューの回転及び羽根の回転を可変調整して、融雪剤の散布量を容易に調整し、現場に適した量の融雪剤を良好に散布できるものとなる。
【０００９】
また、前記分散部には、融雪剤の落下量を調整できるシャッターが設けられていることにより、シャッターの開閉を調整することによっても、融雪剤の散布量を容易に調整することができるものとなる。
【実施例】
【００１０】
以下、本発明の実施例を図面に基づいて説明する。
図１は、融雪剤散布機をトラックに載せた状態の構成図である。
融雪剤散布機１は、融雪剤を上方から投入できるホッパー２と、このホッパー２の下方で回転可能に横設されたスクリュー３と、スクリュー３の下流端側に地面Ｅに向けて垂設された分散部５を備えており、台ベース４上にホッパー２等が組み付けられており、この台ベース４を例えば２トントラック６の荷台６ａに載せて、トラック６で移動させることができるものである。
【００１１】
また、この融雪剤散布機１は、発電機７とは別体に構成されており、発電機７は、冬季等の融雪剤散布機１を使用する時期のみリースで借り入れて利用することができ、例えば出力８．４／１０．８ｋｗ程度のものをリースで別途調達して、この発電機７から融雪剤散布機１のモータ等に電力を供給できるものである。
【００１２】
融雪剤散布機１を図２に拡大して示し、図３では、融雪剤散布機の平面図を示し、また図４では、融雪剤散布機の右側面図を示す。
ホッパー２は、上面が開放されており、下端側が下方に向かって錐形状に、例えばステンレスで形成されたものであり、上面には、鉄製又はシート材で構成された蓋２ａが開閉可能に設けられている。
この蓋２ａを開けて、ホッパー２の上面より、融雪剤が入った２５ｋｇの袋を破って、袋からホッパー２内に融雪剤を投入してゆくことができるものである。
【００１３】
ホッパー２の下端には、横方向に送り樋部１２が設けられており、送り樋部１２は台ベース４の後端よりも更に横方向に延出されて、トラックの荷台６ａに載せた場合に、荷台６ａから後方に突出するような長さに設定されている。この送り樋部１２内には、外周に螺旋状のスクリュー３を備えた回転軸１１が回転可能に内装されており、スクリュー３の回転軸１１の上流端側には変速機１０が接続され、この変速機１０は直交型インバーターモータ９により回転されるように構成されている。
【００１４】
送り樋部１２の下流端側、即ちスクリュー３の下流端側には、送り樋部１２に連通されて下方側の地面Ｅに向けて延びる垂下筒部１４が連結されており、垂下筒部１４の下端が地面Ｅから約７００ｍｍ程度の高さ位置に配置されるように設定されている。
この分散部５を構成する垂下筒部１４の上端には、立型インバーターモータ１５が立設されており、立型インバーターモータ１５に連結された回転軸１６が、垂下筒部１４内に垂設されており、回転軸１６の下端には羽根１７が設けられている。また、この羽根１７の上部部位には、垂下筒部１４の内径を可変できる手動式のシャッター１８が設けられている。
【００１５】
なお、送り樋部１２の下流端とホッパー２はステー１３で連結されて補強されている。また、ホッパー２の側方の台ベース４上には、人が乗ることのできる踊り台部１９が横設されており、この踊り台部１９上に作業者が乗って、融雪剤の袋を破りながら融雪剤をホッパー２内に投入してゆくことができ、またホッパー２内を掃除する際にも、この踊り台１９上に作業者が乗って良好に掃除等を行えるものである。
【００１６】
通常は、下請けの土建屋の基地内に、２５ｋｇの融雪剤の袋を保管，貯蔵しておき、冬季に、基地内で袋を破って、融雪剤散布機１のホッパー２内がいっぱいになるように、ホッパー２内に融雪剤を入れ、蓋２ａを閉めた状態で、運転手１人がトラック６を運転して現場へ向かい、現場において操作盤８を操作して、直交型インバーターモータ９及び立型インバーターモータ１５の回転数をロー側、或いはハイ側に切り替えて、融雪剤散布機１を作動させながら、トラック６を移動させてゆき、順次、散布部５から道路等に融雪剤を散布してゆくことができるものである。
【００１７】
ホッパー２内に貯められている融雪剤は、徐々に送り樋部１２内に落下し、スクリュー３の回転によりトラックの荷台の後方側へ徐々に融雪剤が送り出されてゆき、送り出された融雪剤は、分散部の垂下筒部１４内を落下して、下端側に設けられている羽根１７の回転により、融雪剤が地面Ｅ等にばら撒かれるものであり、この羽根１７の回転が速い場合には、遠くまで融雪剤を飛ばすことができるものとなる。
【００１８】
トラック６の運転手は現場の状況を見ながら、トラック６の運行速度を適宜調整して、道路等に撒かれる融雪剤の量をトラック６の移動速度で調整することもでき、また操作盤８を現場で操作して、直交型インバーターモータ９の回転数を上げることで、スクリュー３による融雪剤の送り出し量を増加させることができ、しかも立型インバーターモータ１５の回転数を上げることで、羽根１７を強く回転させて、遠くまで融雪剤をばら撒くことができるものである。
更には、手動により手動シャッター１８の開度を適宜調整して、垂下筒部１４の下端から落下する融雪剤の量を調整して、現場に応じた量の融雪剤を良好に散布してゆくことができるものである。
【００１９】
作業は全てトラックの運転手１人で行うことができ、作業が容易なものとなり、コストを低減させて融雪剤の散布作業を行うことができるものとなる。
また、融雪剤散布機１は、コンパクトな構造であり、トラック６への積み下ろしも容易であり、全体を低コストで製作することができ、維持費も安価なものとなる。
【００２０】
なお、２トントラック６の荷台６ａに融雪剤散布機１を載せた状態では、図３の平面図で示すように、荷台６ａには、余裕のスペースＳが存在するため、この余裕のスペースＳ上に、融雪剤の入った袋を積載しておいても良く、荷台６ａの余裕スペースＳに融雪剤の袋を積載して出発する場合には、途中で融雪剤散布機１のホッパー２内の融雪剤が無くなった時には、現場でホッパー２内に袋を破って融雪剤を再投入して補充することができ、基地へ戻ることなく、長距離に亘って良好に融雪剤を散布してゆくことができるものとなる。
【図面の簡単な説明】
【００２１】
【図１】トラックに積み込まれた融雪剤散布機の正面構成図である。
【図２】融雪剤散布機の拡大正面構成図である。
【図３】融雪剤散布機の平面拡大構成図である。
【図４】融雪剤散布機の右側面拡大構成図である。
【符号の説明】
【００２２】
１  融雪剤散布機
２  ホッパー
２ａ  蓋
３  スクリュー
４  台ベース
５  分散部
６  トラック
６ａ  荷台
７  発電機
８  操作盤
９  直交型インバーターモータ
１０  変速機
１１  回転軸
１２  送り樋部
１４  垂下筒部
１５  立型インバーターモータ
１６  回転軸
１７  羽根
１８  手動シャッター
１９  踊り台部
Ｅ  地面
Ｓ  荷台の余裕スペース
【図１】
2006177003.tif 000003
【図２】
2006177003.tif 000004
【図３】
2006177003.tif 000005
【図４】
2006177003.tif 000006